(57)【要約】      （修正有）【課題】  加盟店が金券の代金を金券発行者に対して請求し、金券の代金支払の処理を効率的に行うことができる金券代金の決済方法に関する。【解決手段】  加盟店端末からセンターサーバに対し、加盟店が受け取った金券に付されている金券情報を送信するステップと、センターサーバにおいて、加盟店端末から受信した金券情報に基づき加盟店への代金支払請求データと、回収券データとを生成するステップと、センターサーバから金券発行元コンピュータに回収券データを送信するステップと、センターサーバから金券発行元コンピュータにカードオンラインシステムを介して代金支払請求データを送信するステップと、金券発行元コンピュータにおいて、受信した回収券データから算出した代金金額と、受信した代金支払請求データの代金金額とを照合するステップと、照合の結果、代金金額が一致した場合に金券発行元コンピュータが代金の支払い処理を行うステップとからなる。【選択図】        図１
2006134194.tif 000002
【特許請求の範囲】
【請求項１】
金券発行元から発行された金券を取り扱う加盟店に対して、前記加盟店が顧客から受け取った金券の代金について支払処理を行う金券代金の決済方法であって、
加盟店端末からセンターサーバに対して、加盟店が受け取った金券に付されている金券情報を送信するステップと、
センターサーバにおいて、前記加盟店端末から受信した金券情報に基づいて、前記加盟店への代金支払請求データと、回収券データとを生成するステップと、
前記センターサーバから金券発行元コンピュータに回収券データを送信するステップと、
前記センターサーバから金券発行元コンピュータにカードオンラインシステムを介して代金支払請求データを送信するステップと、
前記金券発行元コンピュータにおいて、受信した前記回収券データから算出した代金金額と、受信した代金支払請求データの代金金額とを照合するステップと、
前記照合の結果、代金金額が一致した場合に、前記金券発行元コンピュータが代金の支払い処理を行うステップと、
からなることを特徴とする金券代金の決済方法。
【請求項２】
前記センターサーバから金券発行元コンピュータに回収券データを送信する際に、カードオンラインシステムを介して回収券データの送信を行なうことを特徴とする請求項１記載の金券代金の決済方法。
【発明の詳細な説明】
【技術分野】
【０００１】
本発明は、金券発行者から発行された金券を取り扱う加盟店が、入手した金券代金の請求を金券発行者に行なうと共に、金券発行者から加盟店に対して前記加盟店が顧客から受け取った金券の代金について支払処理を行うことができる金券代金の決済方法に関する。
【背景技術】
【０００２】
従来、例えば、商品券、ギフトカード、旅行券、食事券、ビール券、アイスクリーム券、図書券、文具券、など金銭的な価値を有する種々の金券が多種類発行されている。
これらの金券は、贈答用やプレゼントとして使用されたりすることも多いことから、利用者にとって、広範囲にどこの商店でも共通して使用できるという利便性がある。
【０００３】
また、顧客が代金の代わりに店などに支払った金券は、店側からその金券を発行した発行元である金券発行者に送られて、その金券額に応じた金銭の支払いを金券発行者に請求し、金券発行者から店側にそれらの金銭を支払うことで金券代金の支払い精算処理が行なわれる。
しかしながら、市場に大量に発行された種々の金券に対する精算処理には、手間と時間がかかるという問題がある。
【０００４】
従来の金券処理システムにおいて、金券類の券番号を読み取って、予め登録されている券番号と照合することで、金券類の回収処理や真偽判別を行うシステムが既に公知となっているが、種類の異なる金券を回収処理して、代金精算の請求データを生成するという技術はなかった。（例えば、特許文献１参照）
【特許文献１】特開平１０−３４０３６８号公報
【発明の開示】
【発明が解決しようとする課題】
【０００５】
本発明は、金券発行者から発行された金券を取り扱う加盟店が、顧客から受け取った金券の代金を金券発行者に対して請求を行なえるようにすると共に、金券発行者から加盟店に対して前記加盟店が顧客から受け取った金券の代金支払の処理を効率的に行うことができる金券代金の決済方法に関する。
【課題を解決するための手段】
【０００６】
本発明の金券代金の決済方法は、金券発行元から発行された金券を取り扱う加盟店に対して、前記加盟店が顧客から受け取った金券の代金について支払処理を行う金券代金の決済方法であって、加盟店端末からセンターサーバに対して、加盟店が受け取った金券に付されている金券情報を送信するステップと、センターサーバにおいて、前記加盟店端末から受信した金券情報に基づいて、前記加盟店への代金支払請求データと、回収券データとを生成するステップと、前記センターサーバから金券発行元コンピュータに回収券データを送信するステップと、前記センターサーバから金券発行元コンピュータにカードオンラインシステムを介して代金支払請求データを送信するステップと、前記金券発行元コンピュータにおいて、受信した前記回収券データから算出した代金金額と、受信した代金支払請求データの代金金額とを照合するステップと、前記照合の結果、代金金額が一致した場合に、前記金券発行元コンピュータが代金の支払い処理を行うステップと、からなることを特徴とする。
【０００７】
また、本発明の金券代金の決済方法は、前記センターサーバから金券発行元コンピュータに回収券データを送信する際に、カードオンラインシステムを介して回収券データの送信を行なうことを特徴とする。
【発明の効果】
【０００８】
本発明の金券代金の決済方法は、加盟店が受け取った金券について代金精算処理を行う際に、加盟店からセンターサーバに対して金券情報を送信するだけで、カードオンラインシステムを介して金券発行元コンピュータに代金支払請求データの送信を行なうことができるので、金券代金の支払処理を自動的に効率良く行うことができるという効果がある。
【０００９】
また、発明の金券代金の決済方法は、カードオンラインシステムを介して、センターサーバから金券発行元コンピュータに回収券データの送信を行なうことができるので、効率的にデータの送信処理を行うことができる。
【発明を実施するための最良の形態】
【００１０】
以下、本発明の実施の形態を図面に基づいて詳細に説明する。
図１は、本発明の第１実施形態に係る金券代金の決済方法に関するシステム構成の概要を説明する図、図２は、金券である商品券の平面図、図３は、本発明に関するシステムのセンターサーバのシステムブロック図、図４は、本発明に関するシステムの金券発行元コンピュータのシステムブロック図、図５及び図６は、本発明の実施形態に係る金券代金の決済方法の処理手順を示すフローチャート、図７は、本発明の第２実施形態に係る金券代金の決済方法に関するシステム構成の概要を説明する図である。
【００１１】
図１に示すように、顧客から代金の代わりに金券を受け取る金券取扱い加盟店１には、店舗専用端末２が備えられ、金券管理センター３にはセンターサーバ４が備えられ、金券を発行する金券発行元５にはコンピュータ６が備えられている。
これらの店舗専用端末２とセンターサーバ４と金券発行元５のコンピュータ６とは、通信回線で通信可能に接続されている。
また、クレジットカードが使用された際に使用されるカードオンラインシステム８が備えられ、センターサーバ４から金券発行元５のコンピュータ６にデータの送信を行なう場合に、カードオンラインシステム８も利用できるようにしてある。
【００１２】
店舗専用端末２は、図２に示すように、金券７に表示された管理番号７ａを機械的に読み取る機能を有している。
これらの管理番号７ａは、機械読み取り用の表示として、例えばバーコード、ＯＣＲ等により表示されており、顧客から受け取った金券７の管理番号７ａを短時間で機械読み取りして入力できるようにしてある。
そして、店舗専用端末２は、金券７の管理番号７ａを金券取引データとしてセンターサーバ４に送信する。
【００１３】
図３に示すように、センターサーバ４には、通信手段１１、記憶手段１２、金券情報登録手段１３、フォーマット変換手段１４、データ生成手段１５、回収券データ送信手段１６、売上請求データ送信手段１７、制御手段１８、発行元情報データベース１９、加盟店情報情報データベース２０、金券管理情報データベース２１、フォーマット情報データベース２２などが備えられている。
【００１４】
ここで発行元情報データベース１９には、金券に表示されている管理番号７ａと関係付けられて金券の発行元つまり金券発行会社の会社名、住所、電話番号、取り引き先の金融機関情報、などが登録されている。
また、加盟店情報情報データベース２０には、加盟店毎に定められた加盟店管理番号と関係付けられて、加盟店名、住所、電話番号、取り引き先の金融機関情報、などが登録されている。
金券管理情報データベース２１には、金券の管理番号７ａに関係付けられて、金券毎の情報が登録される。
また、フォーマット情報データベース２２には、各金融機関に対して振込依頼を行なう際に使用するための各金融機関から指定されたフォーマット情報が登録されている。
【００１５】
また、金券発行元のホストコンピュータ６には、図４に示すように、通信手段２３、記憶手段２４、照合手段２５、振込依頼情報送信手段２６、制御手段２７、発行金券情報データベース２８などが備えられている
発行金券情報データベース２８には、金券発行元が既に発行済みの金券の管理番号などを登録すると共に、回収された金券の管理番号により消し込み処理を行うことで、金券発行会社毎に金券の管理が行なえるようにしてある。
【００１６】
照合手段２５は、回収された金券の管理番号と、金券発行元が既に発行済みの金券の管理番号とを照合する機能を有し、照合一致した場合には、回収金券情報として発行金券情報データベース２８に登録する。
振込依頼情報送信手段２６は、回収された金券の管理番号が照合処理で一致した場合に、金券発行元の口座を有する金融機関のホストコンピュータに対して、加盟店の口座を有する金融機関への金券代金の支払依頼情報を送信する機能を有している。
【００１７】
したがって、センターサーバ４は、店舗専用端末２から受信した金券取引データをもとに加盟店１での金券による売上請求データの算出を行なうと共に、カードオンラインシステム８を介して金券発行元５のコンピュータ６に対して売上請求データを送信できるようにしてある。
また、回収券データは、センターサーバ４から通信回線を介して金券発行元５のコンピュータ６に送信可能に構成されている。
【００１８】
金券発行元５のコンピュータ６は、センターサーバ４から回収券データと売上請求データを受信することで、センターサーバ４から受信した売上請求データと、同じく受信した回収券データから算出した金額データとの照合処理を行い、これらの金額が一致したことを確認した場合に、その売上請求データの金額を加盟店側に支払う処理を行うようにシステム化されている。
加盟店側への支払い処理は、金券発行元５の口座を有する金融機関に対して、加盟店の口座を有する金融機関への振込依頼の処理を、通信回線を介して行なうことで処理できるように構成されている。
【００１９】
次に、図５及び図６に基づいて、発明の第１実施形態に係る金券代金の決済方法の処理手順を説明する。
まず、顧客から金券を受け取った加盟店１は、それらの金券に表示された管理番号７ａを店舗専用端末２で読み取る。（ステップＳ１）
そして、店舗専用端末２から金券管理センター３のセンターサーバ４に対して、店舗専用端末２で読み取った管理番号７ａと加盟店管理番号とを金券取引データとして送信する。（ステップＳ２）
センターサーバ４の金券管理情報データベース２１に受信した管理番号７ａと加盟店管理番号を登録する。（ステップＳ３）
【００２０】
そして、予め定めた集計日に、金券管理情報データベース２１に登録された所定期間の情報について集計処理を行う。（ステップＳ４）
その集計処理において、金券発行元別に集計データの仕分け処理を行う。（ステップＳ５）
次に、金券発行元別に仕分けした集計データについて、請求金額データと、請求する金額に該当する金券の金券管理番号データとを生成する。（ステップＳ６）
生成したそれらの請求金額データと金券管理番号データについて、金券発行元が指定するフォーマットに変換する。（ステップＳ７）
【００２１】
金券管理センターのセンターサーバ４から金券発行元５のホストコンピュータ６に対して、回収券データとして金券管理番号データを、更にカードオンラインシステムを介して回収券データである金券管理番号データを送信する。（ステップＳ８）
金券発行元５のホストコンピュータ６において、発行金券情報データベース２８に登録されている発行済みの金券の管理番号と、回収された金券の管理番号データとの照合処理を行なう。（ステップＳ９）
この照合処理で照合不一致となった場合には、その後の処理を中止する。（ステップＳ１０）
【００２２】
また、この照合処理で照合一致となった場合には、センターサーバ４から受信した請求金額データが、回収券データである金券管理番号データに基づいて算出した金額と間違いなく一致するか否かの照合確認処理が行なわれる。（ステップＳ１１）
この照合確認処理で金額が合わなかった場合には、その後の処理を中止する。（ステップＳ１２）
この照合確認処理で金額が一致した場合には、金券発行元５のホストコンピュータ６から金券発行元５の口座を有する金融機関に対して、加盟店の口座を有する金融機関へ請求金額データに基づく金額の振込依頼の処理を、通信回線を介して行なう。（ステップＳ１３）
【００２３】
振込依頼情報を受信した金券の発行元金融機関のホストコンピュータは、加盟店金融機関のホストコンピュータに対して、振込依頼情報に基づいた金額の振込み処理を行う。（ステップＳ１４）
そして、金券の発行元金融機関のホストコンピュータは、センターサーバ３に対して振込みが完了したことを知らせる通知を送信する。（ステップＳ１５）
センターサーバ３から店舗専用端末２及び金券発行元５のホストコンピュータ６に対して金券代金の振込み処理が完了したことの通知を送信する。（ステップＳ１６）
以上の処理により、金券代金の決済が行なわれる。
【００２４】
次に、本発明の金券代金の決済方法に係る第２実施形態について説明する。
第２実施形態の金券代金の決済方法は、図７に示すように、センターサーバ４から金券発行元５のコンピュータ６に対して回収券データである金券管理番号データを送信する際に、金券による売上請求データと同様にカードオンラインシステム８を介して送信する方法である。
【図面の簡単な説明】
【００２５】
【図１】本発明の第１実施形態に係る金券代金の決済方法に関するシステム構成の概要を説明する図である。
【図２】金券である商品券の平面図である。
【図３】本発明に関するシステムのセンターサーバのシステムブロック図である。
【図４】本発明に関するシステムの金券発行元コンピュータのシステムブロック図である。
【図５】本発明の実施形態に係る金券代金の決済方法の処理手順を示すフローチャートである。
【図６】本発明の実施形態に係る金券代金の決済方法の処理手順を示すフローチャートである。
【図７】本発明の第２実施形態に係る金券代金の決済方法に関するシステム構成の概要を説明する図である。
【符号の説明】
【００２６】
１  金券取扱い加盟店
２  店舗専用端末
３  金券管理センター
４  センターサーバ
５  金券発行元
６  コンピュータ
７  金券
７ａ  管理番号
８  カードオンラインシステム
１１，２３  通信手段
１２，２４  記憶手段
１３  金券情報登録手段
１４  フォーマット変換手段
１５  データ生成手段
１６  回収券データ送信手段
１７  売上請求データ送信手段
１８，２７  制御手段
１９  発行元情報データベース
２０  加盟店情報情報データベース
２１  金券管理情報データベース
２２  フォーマット情報データベース
２５  照合手段
２６  振込依頼情報送信手段
２８  発行金券情報データベース
【図１】
2006134194.tif 000003
【図２】
2006134194.tif 000004
【図３】
2006134194.tif 000005
【図４】
2006134194.tif 000006
【図５】
2006134194.tif 000007
【図６】
2006134194.tif 000008
【図７】
2006134194.tif 000009